(57)【要約】【課題】耐火性を向上することができると共に、センサから発信される信号への影響を低減することができるセンサ付錠前およびサッシを提供すること。【解決手段】センサ付錠前１０は、クレセント錠５０と、センサ６０と、金属製台座７０とを備えている。金属製台座７０には、その周枠部７５および前板部７６によって開口が形成されており、この開口を塞ぐ樹脂製センサカバー８０が装着されている。センサ６０は、周枠部７５および樹脂製センサカバー８０によって形成される空間に配置されており、センサ６０の発信部６３は、当該センサ６０の前面側に配置されていると共に樹脂製センサカバー８０に面している。【選択図】図２
2019157496.tif 000002
【特許請求の範囲】
【請求項１】
障子を施錠、解錠する錠装置と、前記錠装置による施錠、解錠を検出する検出部および前記検出部の検出結果に対応した信号を発信する発信部を有したセンサと、前記錠装置が取り付けられた金属製台座とを備えており、
前記金属製台座は、周枠部と、前記周枠部に連続した前板部とを有しており、
前記周枠部および前記前板部によって開口が形成されており、
前記金属製台座には、前記開口を塞ぐ樹脂製センサカバーが装着されており、
前記センサは、前記周枠部および前記樹脂製センサカバーによって形成される空間に配置されており、
前記センサの発信部は、当該センサの前面側に配置されていると共に前記樹脂製センサカバーに面している
ことを特徴とするセンサ付錠前。
【請求項２】
請求項１に記載のセンサ付錠前において、
前記前板部には、前記センサの前面に沿った前方保持片部が形成されている
ことを特徴とするセンサ付錠前。
【請求項３】
請求項１または請求項２に記載のセンサ付錠前において、
前記周枠部は、左右の側枠部を有しており、
前記センサの発信部は、前記左右の側枠部よりも前方に配置されている
ことを特徴とするセンサ付錠前。
【請求項４】
請求項１から請求項３のいずれか一項に記載のセンサ付錠前において、
前記周枠部の裏面側を塞ぐ金属製裏面カバーを備えている
ことを特徴とするセンサ付錠前。
【請求項５】
請求項４に記載のセンサ付錠前において、
前記金属製裏面カバーには、前記センサの左右の側面に沿って配置された左右の側方保持片部が形成されている
ことを特徴とするセンサ付錠前。
【請求項６】
枠体と、前記枠体内に開閉可能に配置された障子とを備えており、
前記障子には、請求項１から請求項５のいずれか一項に記載のセンサ付錠前が設置されている
ことを特徴とするサッシ。
【発明の詳細な説明】
【技術分野】
【０００１】
本発明は、サッシの障子を施錠、解錠するセンサ付錠前およびサッシに関する。
【背景技術】
【０００２】
従来、引き違いサッシにおけるクレセント錠の開閉を検出して施錠信号および解錠信号を発信する開閉検出センサ（センサ）と、この開閉検出センサから発信した施錠信号および解錠信号を受信する監視装置とによって構成された戸締り監視システムが知られている（特許文献１参照）。
開閉検出センサは、電池、ＣＰＵ（制御部）、記憶メモリ、リードスイッチ、送受信部、アンテナなどが樹脂製のケースに内蔵されて構成されており、引き違いサッシの内障子の召合わせ框の見込み面に固定されている。
【先行技術文献】
【特許文献】
【０００３】
【特許文献１】特開２００３−２７７８５号公報
【発明の概要】
【発明が解決しようとする課題】
【０００４】
ところで、特許文献１における開閉検出センサは、その各構成が樹脂製のケースに内蔵されているため、火災時に樹脂製のケースが熱せられて軟化、溶融すると、開閉検出センサの各構成を保持することが困難である。
ここで例えば、樹脂製のケースに代えて金属製のケースを用いることで耐火性を向上することが考えられる。しかし、ケースが金属製である場合には、開閉検出センサの各構成が金属材料によって覆われるので、金属製ケースが開閉検出センサを金属遮蔽することとなり、これにより、開閉検出センサのアンテナから発信される施錠信号や解錠信号の電波障害が生じるおそれがある。
【０００５】
本発明の目的は、耐火性を向上することができると共に、センサから発信される信号への影響を低減することができるセンサ付錠前およびサッシを提供することにある。
【課題を解決するための手段】
【０００６】
本発明のセンサ付錠前は、障子を施錠、解錠する錠装置と、前記錠装置による施錠、解錠を検出する検出部および前記検出部の検出結果に対応した信号を発信する発信部を有したセンサと、前記錠装置が取り付けられた金属製台座とを備えており、前記金属製台座は、周枠部と、前記周枠部に連続した前板部とを有しており、前記周枠部および前記前板部によって開口が形成されており、前記金属製台座には、前記開口を塞ぐ樹脂製センサカバーが装着されており、前記センサは、前記周枠部および前記樹脂製センサカバーによって形成される空間に配置されており、前記センサの発信部は、当該センサの前面側に配置されていると共に前記樹脂製センサカバーに面していることを特徴とする。
本発明のセンサ付錠前によれば、センサが金属製台座の周枠部および樹脂製センサカバーによって形成される空間に配置されているので、例えばセンサが樹脂製台座に収納される場合よりも耐火性を向上することができ、火災時にセンサ付錠前が熱せられても、金属製台座の周枠部によってセンサを長時間保持することができる。
また、センサの発信部は、樹脂製センサカバーに面しているので、発信部が金属遮蔽されない構成にすることができ、例えば発信部が金属材料に覆われたセンサ付錠前と比べて、発信部から発信される信号の電波障害が生じるおそれを低減することができる。
【０００７】
本発明のセンサ付錠前では、前記前板部には、前記センサの前面に沿った前方保持片部が形成されていてもよい。
このような構成によれば、火災時に樹脂製センサカバーが軟化、溶融して脱落しても、前方保持片部によってセンサを前方から保持することで、センサの前倒れを抑制することができる。
【０００８】
本発明のセンサ付錠前では、前記周枠部は、左右の側枠部を有しており、前記センサの発信部は、前記左右の側枠部よりも前方に配置されていてもよい。
このような構成によれば、火災時に樹脂製センサカバーが軟化、溶融して脱落しても、左右の側枠部によってセンサを側方から保持することで、センサの横倒れを抑制することができる。また、左右の側枠部は発信部の側方に位置していないので、発信部から発信して放射状に拡がる信号に対して左右の側枠部が電波障害の要因となるおそれを低減することができる。
【０００９】
本発明のセンサ付錠前では、前記周枠部の裏面側を塞ぐ金属製裏面カバーを備えていてもよい。
このような構成によれば、例えばセンサ付錠前が取り付けられる框などのフレームがアルミ樹脂複合形材である場合には、火災時に樹脂部分が軟化、溶融して外れると金属製台座およびフレームの間に隙間が生じるおそれがあるが、本発明では前述した金属製裏面カバーを備えているので、前記隙間から金属製台座の周枠部内に火炎が入り込むことを抑制することができる。
【００１０】
本発明のセンサ付錠前では、前記金属製裏面カバーには、前記センサの左右の側面に沿って配置された左右の側方保持片部が形成されていてもよい。
このような構成によれば、例えば室外火災や室内火災によって金属製台座の左右の側枠部のいずれかが加熱面となって溶融した場合であっても、金属製裏面カバーの左右の側方保持片部によってセンサを側方から保持することができ、センサの横倒れを抑制することができる。
【００１１】
本発明のサッシは、枠体と、前記枠体内に開閉可能に配置された障子とを備えており、前記障子には、前述した本発明のセンサ付錠前が設置されていてもよい。
本発明のサッシによれば、前述した本発明のセンサ付錠前の作用効果と同様の作用効果を発揮可能なサッシを構成することができる。
【発明の効果】
【００１２】
本発明によれば、耐火性を向上することができると共に、センサから発信される信号への影響を低減することができるセンサ付錠前およびサッシを提供することができる。
【図面の簡単な説明】
【００１３】
【図１】本発明の実施形態に係るサッシを示す内観姿図。
【図２】前記実施形態に係るサッシのセンサ付錠前を示す斜視図。
【図３】前記実施形態に係るサッシのセンサ付錠前を展開して示す斜視図。
【図４】前記実施形態に係るサッシのセンサ付錠前の一部を切り欠いて示す側面図。
【発明を実施するための形態】
【００１４】
［本実施形態の構成］
以下、本発明の実施形態を図面に基づいて説明する。
図１において、本実施形態に係るサッシである引き違い窓１は、窓枠２（枠体）と、窓枠２内に左右に引き違い開閉可能に配置された外障子３および内障子４とを備えており、外障子３および内障子４の召合わせ部にセンサ付錠前１０が設置されている。
図１は引き違い窓１の内観姿図であり、図２（Ａ）はセンサ付錠前１０を前面側から示した斜視図であり、図２（Ｂ）はセンサ付錠前１０を裏面側から示した斜視図であり、図３はセンサ付錠前１０を展開して示した斜視図であり、図４（Ａ）はセンサ付錠前１０の一部を切り欠いて室内側から示した側面図であり、図４（Ｂ）はセンサ付錠前１０の一部を切り欠いて室外側から示した側面図である。
また、以下の説明において、センサ付錠前１０の左右方向をＸ軸方向とし、センサ付錠前１０の上下方向をＹ軸方向とし、センサ付錠前１０の前後方向をＺ軸方向とする。Ｘ，Ｙ，Ｚ軸方向は互いに直交している。
【００１５】
窓枠２は、上枠２１、下枠２２および左右の縦枠２３，２４が枠組みされて構成されている。外障子３は、上框３１、下框３２、左右の縦框３３およびガラスパネル３５（面材）が框組みされて構成されており、左右の縦框３３のうち図１において左側に示す縦框３３が戸先框であり、縦框３３に対して右側にある縦框（図示せず）が外召合せ框である。内障子４は、上框４１、下框４２、左右の縦框４３，４４およびガラスパネル４５（面材）が框組みされて構成されており、左右の縦框４３のうち図１において右側に示す縦框４３が戸先框であり、左側に示す縦框４４が内召合せ框である。窓枠２の各枠材２１〜２４、並びに外障子３および内障子４の各框材３１〜３３，４１〜４４は、アルミ押出形材によって形成されていてもよいが、アルミ樹脂複合形材や樹脂形材によって形成されていてもよい。
【００１６】
センサ付錠前１０は、図２〜４に示すように、外障子３および内障子４を施錠、解錠するクレセント錠５０（錠装置）と、クレセント錠５０による施錠、解錠を検出して信号を発信するセンサ６０と、クレセント錠５０の後述する錠本体５１が取り付けられた縦長の金属製台座７０と、金属製台座７０に装着された樹脂製センサカバー８０と、金属製台座７０の裏面側を塞ぐ縦長の金属製裏面カバー９０とを備えている。金属製台座７０は、ネジ１２（図２，４参照）によって内障子４の内召合せ框４４の見込み面に取り付けられている。
【００１７】
クレセント錠５０は、可動側の錠本体５１と、固定側の錠受け５２（図２（Ａ）参照）とを備えている。錠本体５１は、回転操作可能な開閉レバー部５３と、開閉レバー部５３の回転操作によって施錠位置および解錠位置に回転移動する円弧状係合部５４とを備えており、金属製台座７０の後述する前板部７６に回転可能に取り付けられている。錠受け５２は、外障子３の図示しない外召合せ框に取り付けられており、円弧状係合部５４と係合可能に構成されている。
このクレセント錠５０では、開閉レバー部５３の回転操作によって円弧状係合部５４が解錠位置から施錠位置まで回転移動すると、図２（Ａ）に示すように円弧状係合部５４が錠受け５２と係合し、外障子３および内障子４を左右方向に開閉移動できない施錠状態とする。また、開閉レバー部５３の回転操作によって円弧状係合部５４が施錠位置から解錠位置まで回転移動すると、円弧状係合部５４が錠受け５２から離れて係合を解除し、外障子３および内障子４を左右方向に開閉移動できる解錠状態とする。
また、錠本体５１には、開閉レバー部５３の回転操作に連動してＹ軸方向にスライド移動するステンレス製の連動部材１１（図３，４参照）が連結されている。
【００１８】
センサ６０は、図３に示すように、センサケース６１と、センサケース６１の前面に配置された検出部６２と、センサケース６１の前面であって検出部６２に対して上方に配置された発信部６３と、図示しない制御部とを有してセンサユニットを構成している。検出部６２は、前述した連動部材１１のスライド移動によってクレセント錠５０の施錠、解錠を検出する構成とされている。発信部６３は、検出部６２の検出結果に対応した信号を発信するアンテナによって構成されている。発信部６３は、検出部６２がクレセント錠５０の施錠を検出した場合には施錠信号を発信し、また、検出部６２がクレセント錠５０の解錠を検出した場合には解錠信号を発信する。なお、施錠信号や解錠信号は図示しない監視装置によって受信される。
【００１９】
金属製台座７０は、上枠部７１、下枠部７２および左右の側枠部７３，７４によって構成された周枠部７５と、周枠部７５の前縁部に連続した前板部７６とを有している。金属製台座７０は、本実施形態では亜鉛ダイキャスト製であり、周枠部７５および前板部７６によって前側の開口７７が形成されている。
前板部７６には、前板部７６の本体部分から前面側に張り出した前方保持片部７６１（図３参照）が形成されており、この前方保持片部７６１は図４に示すようにセンサ６０の前面であって発信部６３よりも下方部分に沿って配置されている。なお、前方保持片部７６１とセンサ６０の前面との間には、連動部材１１の上端部が配置されている。
【００２０】
樹脂製センサカバー８０は、図３に示すように、カバー上板部８１と、カバー下板部８２と、左右のカバー側板部８３，８４と、カバー前板部８５とを有している。カバー前板部８５の周縁部は、カバー上板部８１、カバー下板部８２および左右のカバー側板部８３，８４の前縁部に連続している。カバー前板部８５の上部はネジ１３によって金属製台座７０に取り付けられており、カバー前板部８５の下部は係合爪部（図示省略）が金属製台座７０の前板部７６に形成された係合孔（図示省略）に係合しており、これにより、樹脂製センサカバー８０は金属製台座７０に装着されている。この装着状態では、カバー上板部８１の後縁部は上枠部７１の前縁部に当接し、カバー下板部８２の後縁部は前板部７６に当接し、左右のカバー側板部８３，８４の後縁部は側枠部７３，７４の前縁部に当接している。この樹脂製センサカバー８０によって金属製台座７０の開口７７は塞がれている。
【００２１】
ここで、センサ６０は、その上下端部がネジ１４によって金属製台座７０に取り付けられており、センサ６０の外周面は上枠部７１および左右の側枠部７３，７４の内面に沿って配置されている。センサ６０の発信部６３は、左右の側枠部７３，７４よりも前方、即ち、開口７７よりも前方に突出して配置されており、樹脂製センサカバー８０に面している。このように、センサ６０は金属製台座７０の周枠部７５および樹脂製センサカバー８０によって形成される空間に収納されている。
【００２２】
金属製裏面カバー９０は、本実施形態ではステンレス製であり、図３に示すように、板状の本体部９１と、本体部９１のうちセンサ６０の裏面と対向する部分における左右両縁から前方に延出した左右の側方保持片部９２，９３とを有している。本体部９１は、周枠部７５の裏面側に納まる形状となっており、この本体部９１には、ネジ１４によってセンサ６０の上下端部が取り付けられている。左右の側方保持片部９２，９３は、左右の側枠部７３，７４よりも内側に位置しており、図４に示すようにセンサ６０の左右の側面に沿って配置されている。
【００２３】
以下、本実施形態に係る引き違い窓１の火災時における作用について説明する。
室外火災時、外障子３および内障子４の室外面が火炎に晒されて昇温すると、外召合せ框や内召合せ框４４などからセンサ付錠前１０に熱伝達され、センサ付錠前１０が昇温する。センサ付錠前１０の樹脂製センサカバー８０が軟化温度や溶融温度に達すると軟化、溶融するが、樹脂製センサカバー８０よりも軟化温度や溶融温度が高い亜鉛ダイキャスト製の金属製台座７０は残存しているので、金属製台座７０によって錠本体５１およびセンサ６０が保持された状態が維持される。
ここで、センサ６０は、ネジ１４によって金属製台座７０および金属製裏面カバー９０に取り付けられているので脱落しない。更に、センサ６０の左右の側面が側枠部７３，７４および側方保持片部９２，９３に保持されているので、センサ６０の横倒れが抑制されている。また、センサ６０の前面のうち発信部６３よりも下方部分が連動部材１１を介して前方保持片部７６１に保持されているので、センサ６０の前倒れが抑制されている。更に、金属製裏面カバー９０が金属製台座７０の裏面側を覆っているので、例えば内召合せ框４４の見込み面と金属製台座７０の裏面側との間に隙間が生じても、金属製裏面カバー９０によって金属製台座７０の内部に火炎等が入り込むことは抑制される。
更にセンサ付錠前１０が昇温して金属製台座７０が溶融温度に達すると溶融する。このとき、前方保持片部７６１が溶融しても、これよりも溶融温度が高いステンレス製の連動部材１１が残存しているので、この連動部材１１によってセンサ６０の前倒れが抑制される。また、外障子３の室内面に面する側枠部７４が溶融しても、これよりも溶融温度が高いステンレス製の金属製裏面カバー９０が残存しているので、この金属製裏面カバー９０の側方保持片部９３によってセンサ６０の室外側への横倒れが抑制される。
【００２４】
室内火災時、センサ付錠前１０が火炎に晒されて昇温すると、前述同様に樹脂製センサカバー８０が軟化、溶融するが、金属製台座７０によって錠本体５１およびセンサ６０を保持しつづける。
更に、センサ付錠前１０が昇温して金属製台座７０が溶融温度に達すると溶融する。このとき、前方保持片部７６１が溶融しても連動部材１１によってセンサ６０の前倒れが抑制され、側枠部７４に対して室内側に位置する側枠部７３が溶融しても、金属製裏面カバー９０の側方保持片部９２によってセンサ６０の室内側への横倒れが抑制される。
【００２５】
［本実施形態の効果］
（１）前記実施形態では、金属製台座７０には、開口７７を塞ぐ樹脂製センサカバー８０が装着されており、センサ６０は、周枠部７５および樹脂製センサカバー８０によって形成される空間に配置されており、センサ６０の発信部６３は、当該センサ６０の前面側に配置されていると共に樹脂製センサカバー８０に面している。
上記構成を有するため、例えばセンサ６０が樹脂製台座に収納される場合よりも耐火性を向上することができ、火災時にセンサ付錠前１０が熱せられても、金属製台座７０の周枠部７５によってセンサ６０を長時間保持することができる。
また、センサ６０の発信部６３は、樹脂製センサカバー８０に面しているので、発信部６３が金属遮蔽されない構成にすることができ、例えば発信部６３が金属材料に覆われたセンサ付錠前と比べて、発信部６３から発信される信号の電波障害（金属遮蔽による電波障害）が生じるおそれを低減することができる。
なお、発信部６３は樹脂製センサカバー８０によって覆われているので、センサ６０が外部に露出しない意匠を構成することができる。
（２）前板部７６には、センサ６０の前面に沿った前方保持片部７６１が形成されているので、火災時に樹脂製センサカバー８０が軟化、溶融して脱落しても、前方保持片部７６１によってセンサ６０を前方から保持することで、センサ６０の前倒れを抑制することができる。
（３）センサ６０の発信部６３は、左右の側枠部７３，７４よりも前方に配置されているので、火災時に樹脂製センサカバー８０が軟化、溶融して脱落しても、左右の側枠部７３，７４によってセンサ６０を側方から保持することで、センサ６０の横倒れを抑制することができる。また、左右の側枠部７３，７４は発信部６３の側方に位置していないので、発信部６３から発信して放射状に拡がる信号に対して左右の側枠部７３，７４が電波障害の要因となるおそれを低減することができる。
（４）周枠部７５の裏面側を塞ぐ金属製裏面カバー９０を備えているので、例えば、金属製台座７０が取り付けられる内召合せ框４４がアルミ樹脂複合形材である場合には、火災時に内召合せ框４４の樹脂部分が軟化、溶融して外れると金属製台座７０および内召合せ框４４の間に隙間が生じるおそれがあるが、本実施形態では金属製裏面カバー９０によって前記隙間から金属製台座７０の周枠部７５内に火炎が入り込むことを抑制することができる。
（５）金属製裏面カバー９０には、センサ６０の左右の側面に沿って配置された左右の側方保持片部９２，９３が形成されているので、例えば室外火災や室内火災によって金属製台座７０の左右の側枠部７３，７４のいずれかが加熱面となって溶融温度まで昇温されて溶融した場合であっても、金属製裏面カバー９０の左右の側方保持片部９２，９３によってセンサ６０を側方から保持することができ、センサ６０の横倒れを抑制することができる。
【００２６】
［変形例］
本発明は、以上の実施形態で説明した構成のものに限定されず、本発明の目的を達成できる範囲での変形例は、本発明に含まれる。
例えば、前記実施形態では、金属製台座７０の前板部７６には、センサ６０の前面を保持する前方保持片部７６１が形成されているが、前方保持片部７６１の構成を省略してもよい。
前記実施形態では、センサ６０の発信部６３は開口７７から前方に突出して配置されているが、例えば開口７７よりも若干後方の位置（周枠部７５の枠内の位置）に配置されていてもよい。
前記実施形態では、金属製裏面カバー９０には、左右の側方保持片部９２，９３が形成されているが、これらの構成を省略してもよい。
前記実施形態では、金属製台座７０には金属製裏面カバー９０が取り付けられているが、例えば、センサ付錠前１０の取付け相手である内召合せ框４４がアルミ押出形材などによって見込み面に樹脂部分を有さずに形成されている場合には、火災時に金属製台座７０と内召合せ框４４との間に隙間が生じにくい構成であるので、金属製裏面カバー９０の構成を省略してもよい。
前記実施形態では、樹脂製センサカバー８０は、カバー上板部８１、カバー下板部８２、左右のカバー側板部８３，８４およびカバー前板部８５を有して構成されているが、この構成に限らず、開口７７を覆うことができる構成となっていればよい。
前記実施形態の引き違い窓１では、発信部６３の主な発信向きが内障子４の戸尻向きとなるようにセンサ６０が配置されているが、これに限らない。例えば発信部６３が室内側向きとなるようにセンサ６０が配置されていてもよい。この場合、発信部６３は側枠部７３よりもセンサ付錠前１０の前方に位置し、樹脂製センサカバー８０のカバー側板部８３は、発信部６３を室内側から覆って配置される。
前記実施形態では、錠装置としてクレセント錠５０を説明したがこれに限らない。
また、サッシとして引き違い窓１を説明したが、このほか、片引き窓や上げ下げ窓等のサッシであってもよい。
【符号の説明】
【００２７】
１…引き違い窓（サッシ）、１０…センサ付錠前、１１…連動部材、２…窓枠（枠体）、３…外障子、３３，４３，４４…縦框、４…内障子、５０…クレセント錠、５１…錠本体、５２…錠受け、６０…センサ、６２…検出部、６３…発信部、７０…金属製台座、７１…上枠部、７２…下枠部、７３，７４…側枠部、７５…周枠部、７６…前板部、７６１…前方保持片部、７７…開口、８０…樹脂製センサカバー、８１…カバー上板部、８２…カバー下板部、８３，８４…カバー側板部、８５…カバー前板部、９０…金属製裏面カバー、９１…本体部、９２，９３…側方保持片部。
【図１】
2019157496.tif 000003
【図２】
2019157496.tif 000004
【図３】
2019157496.tif 000005
【図４】
2019157496.tif 000006